(57)【要約】      （修正有）【課題】環境保護と物品再利用の機能を有し、被包装製品の販売の付加価値を高める再利用可能な包装紙箱の提供。【解決手段】包装紙箱は、物品を包装し且つ物品取り出し後に残る物とされ、包装紙箱の内側に複数の相互に接続された外框線が刻まれ、物品取り出し後に、外框線が包装紙箱より離脱可能で、別の造形物を成型できるものとする。【選択図】図２
0003136870.tif 000002
【実用新案登録請求の範囲】
【請求項１】
物品を包装し且つ物品取り出し後の余剰の物であり、底、該底の周囲が上向きに延伸されてなる周壁、及びが周壁と接続された上蓋を包含する再利用可能な包装紙箱において、  該底、周壁及び上蓋に複数の相互に接続された外框線が設けられ、且つ該外框線を該包装紙箱より離脱させて、別の造形物を成型可能とされ、環境保護と物品再利用の機能を具備することを特徴とする、再利用可能な包装紙箱。
【請求項２】
前記外框線で囲まれた区域に複数の折線が刻まれて、これら折線で折り曲げられて前記造形物が成型されることを特徴とする、請求項１記載の再利用可能な包装紙箱。
【請求項３】
前記外框線で囲まれた区域にカラー層がコーティングされたことを特徴とする、請求項１記載の再利用可能な包装紙箱。
【請求項４】
前記外框線で囲まれた区域に図案が設けられたことを特徴とする、請求項１記載の再利用可能な包装紙箱。
【考案の詳細な説明】
【技術分野】
【０００１】
本考案は一種の包装紙箱に係り、特に一種の再利用可能な包装紙箱に関する。
【背景技術】
【０００２】
周知の包装紙箱は軽量で、廉価で加工が容易であり、並びに運搬過程中に内容物を保護できるため、多くの製品の包装に包装紙箱が選択されている。
【０００３】
図１に示される周知の包装紙箱１は、底１１、該底１１の周囲より上向きに延伸されて前後左右が一体に接続されている周壁１２、及び該周壁１２に接続された上蓋１３を包含し、該底１１、周壁１２及び上蓋１３で包囲してなる収容空間１４に、物品を収容する。
【０００４】
しかし、一般に包装紙箱１は使用後、すなわち商業行為上の取引が完成した後に、場所をとり、装飾物品とはなり得ず、ほとんどの人はこのように日常生活で使用しない個人用品を倉庫に入れるか、資源回収に出す。現在、資源回収された包装紙箱は加工されて別の製品の製造に供される。ゆえにそのままで再利用可能な包装紙箱を回収、加工し新たな製品の製造に供することは、資源上の浪費であり、改善する価値がある。
【考案の開示】
【考案が解決しようとする課題】
【０００５】
本考案の目的は一種の包装紙箱を提供することにあり、それは資源再利用の環境保護効果を有し、被包装製品の負荷価値を高めることができるものとする。
【課題を解決するための手段】
【０００６】
請求項１の考案は、物品を包装し且つ物品取り出し後の余剰の物であり、底、該底の周囲が上向きに延伸されてなる周壁、及びが周壁と接続された上蓋を包含する再利用可能な包装紙箱において、
該底、周壁及び上蓋に複数の相互に接続された外框線が設けられ、且つ該外框線を該包装紙箱より離脱させて、別の造形物を成型可能とされ、環境保護と物品再利用の機能を具備することを特徴とする、再利用可能な包装紙箱としている。
請求項２の考案は、前記外框線で囲まれた区域に複数の折線が刻まれて、これら折線で折り曲げられて前記造形物が成型されることを特徴とする、請求項１記載の再利用可能な包装紙箱としている。
請求項３の考案は、前記外框線で囲まれた区域にカラー層がコーティングされたことを特徴とする、請求項１記載の再利用可能な包装紙箱としている。
請求項４の考案は、前記外框線で囲まれた区域に図案が設けられたことを特徴とする、請求項１記載の再利用可能な包装紙箱としている。
【考案の効果】
【０００７】
本考案の包装紙箱は、物品を包装し且つ物品取り出し後に残る物とされ、該包装紙箱の内側に複数の相互に接続された外框線が刻まれ、該物品取り出し後に、該外框線が該包装紙箱より離脱可能で、別の造形物を成型できるものとされ、環境保護と物品再利用の機能を有し、被包装製品の販売の付加価値を高めることができる。
【考案を実施するための最良の形態】
【０００８】
図２は本考案の再利用可能な包装紙箱２の第１実施例を示し、それは物品（例えばキャビネット）を包装し且つ物品取り出し後に残るものとされる。該包装紙箱２は底２１と、該底２１の周囲が上向きに延伸されてなる周壁２２、及びその一つの周壁１２に接続された上蓋２３を具えている。そのうち、該底２１、周壁２２及び上蓋２３に囲まれて収容空間２４が形成され、物品の収容に供される。
【０００９】
図３も合わせて参照されたい。該底２１、周壁２２、上蓋２３に複数の、相互に接続された外框線２５が刻まれ、すなわち、本実施例は収納ボックス形態を例としており、ゆえにこれら外框線２５は収納ボックス３及び隔板４等で囲まれた区域を区分し、また該外框線２５で囲まれた収納ボックス３区域上に、複数の折線２６が刻まれ、さらに、この複数の外框線２５で囲んだ区域が異なる外観を現出し、ゆえにこの複数の外框線２５で区画された区域に図案２８が描かれ、本実施例では該収納ボックス３区域に動物造形が描かれている。
【００１０】
使用時に、まず該包装紙箱２内の物品（例えばキャビネット、図示せず）を取り出した後、さらに該包装紙箱２を図２のように分解して図３に示される展開状態となし、このとき、該包装紙箱２の内側には複数の外框線２５と折線２６が現出し、その後、これら外框線２５で区画された区域を順に包装紙箱２より取り外し、すなわち図４に示されるように、収納ボックス３と隔板４を成型する区域を取り外し、且つさらに外框線２５で囲まれた収納ボックス３内の折線２６を折り曲げ、包装紙箱２の内側を外に現出し、これにより図に示される収納ボックス３の造形物を形成し、最後に該隔板４を該収納ボックス３内に置けば、組立が完成し、該収納ボックス３アセンブリは図５に示されるように棚３０中に置かれて使用される。この収納ボックス３アセンブリは、該包装紙箱中より取り出され、ゆえに従来は廃棄されていた包装紙箱ｗおりようするため、環境保護と物品再利用の機能を共に具備し、並びに包装製品販売の付加価値をアップする。
【００１１】
図６に示されるのは本考案の第２実施例であり、それは第１実施例と同じく、環境保護と物品再利用の機能を具備し、並びに包装製品販売の付加価値をアップする機能を有する。本実施例の違いは、該包装紙箱２の複数の外框線２５（図中には視角の関係から一つのみが表示されている）で囲まれた区域にはカラー層２７がコーティングされ、成型される造形物の外観の美観と質感がアップされている。
【００１２】
総合すると、本考案の再利用可能な包装紙箱は、該包装紙箱の内側に刻まれた複数の相互に接続された外框線を利用し、さらに適時に該外框線で囲まれた区域に設けられた複数の折線を組合せ、折り曲げて造形物を成型でき、該包装紙箱は物品を搭載して運送に供する目的のほか、広範な資源再利用可能で、不必要な浪費と重複する回収過程を免除でき、資源を直接再利用し、不必要な回収処理中の再度の汚染を防止し、環境保護意識の台頭する今日にあって、その重複した資源再生過程中の労働力を節約するのみならず、包装紙箱の付加機能を増加する。
【００１３】
以上の説明は本考案の好ましい実施例にかかるものであって、本考案の実施範囲を限定するものではなく、本考案の実用新案登録請求の範囲の記載及び上述の説明に基づきなしうる簡単な同等の変化と修飾はいずれも本考案の実用新案登録請求の範囲に属するものとする。
【図面の簡単な説明】
【００１４】
【図１】周知の包装紙箱の立体図である。
【図２】本考案の第１実施例の立体図である。
【図３】本考案の好ましい実施例の展開状態表示図である。
【図４】本考案の好ましい実施例の造形物組合せ状態表示図である。
【図５】本考案の好ましい実施例の使用状態表示図である。
【図６】本考案の第２実施例の局部端面図である。
【符号の説明】
【００１５】
２  包装紙箱              ２１  底
２２  周壁                ２３  上蓋
２４  収容空間            ２５  外框線
２６  折線                ２７  カラー層
２８  図案
【図１】
0003136870.tif 000003
【図２】
0003136870.tif 000004
【図３】
0003136870.tif 000005
【図４】
0003136870.tif 000006
【図５】
0003136870.tif 000007
【図６】
0003136870.tif 000008